(57)【特許請求の範囲】
【請求項１】
相転移温度２５〜４０℃の第１のパラフィン、相転移温度４５℃以上の第２のパラフィン、および芳香成分を含有することを特徴とする芳香剤。
【請求項２】
前記第１のパラフィンの相転移温度は、３０〜４０℃であることを特徴とする請求項１に記載の芳香剤。
【請求項３】
前記第２のパラフィンの相転移温度は、４５〜１２０℃であることを特徴とする請求項１または２に記載の芳香剤。
【請求項４】
前記芳香成分は、抗菌性および抗カビ性の少なくともいずれかを有することを特徴とする請求項１ないし３いずれか一項に記載の芳香剤。
【請求項５】
通気性の面材とその裏面側に配置された非通気性のカバー材とを備え、請求項１ないし４いずれか一項に記載の芳香剤が前記面材の裏面に塗布または含浸されて前記面材と前記カバー材とに囲まれた空間の内部に収容されていることを特徴とする建材。
【請求項６】
請求項１ないし４いずれか一項に記載の芳香剤が含浸または表裏面の少なくとも一方に塗布された繊維質の面材を備えることを特徴とする建材。
【発明の詳細な説明】
【技術分野】
【０００１】
本発明は、芳香剤とそれを用いた建材に関する。
【背景技術】
【０００２】
近年、高気密・高断熱住宅の普及や、衛生環境の快適性の向上等の観点から、室内環境、特に空気をきれいにしたいというニーズが高まっている。
【０００３】
このようなニーズを背景として、消臭剤、芳香剤等のニオイに関連する商品が普及してきている。
【０００４】
例えば芳香剤では、既存の商品として、置き型の濾紙等を用いて芳香成分を揮発させるタイプのもの、ビーズ等の多孔体に芳香剤を吸着させたもの、芳香剤等を寒天、ゼラチン等と混合したもの等が市販されている。
【０００５】
芳香剤は、その芳香成分が揮発しガス化することで、その芳香剤のニオイを感じ取ることができる。しかしながら、放散量をコントロールしないと長期にわたって放散は持続しない。
【０００６】
放散量をコントロールする方法として、例えば、アクティブな方法が用いられている。アクティブな方法では、芳香成分を含むカートリッジを電気で加熱し、あるいは芳香剤をスプレーする等により、必要に応じて芳香成分を放散させて放散タイミングをコントロールする。しかしながら、これらの方法は、芳香成分の放散タイミングをコントロールすることはできるが、電気的あるいは機械的な仕組みが必要になる。また、カートリッジを電気で加熱する方法では、カートリッジを大きくできないため交換する必要がある。
【０００７】
そのため、芳香の持続性を確保するための技術として、熱や力を自然のまま利用するパッシブな技術よりも放散量と放散タイミングをコントロールできる技術が求められている。
【０００８】
例えば、建具や内装材等の建材は、常に室内空間に面していることから、これにパッシブな技術で芳香剤を組み込むことができれば望ましい。例えば、季節や昼夜等の気温差を利用して芳香成分の放散量をコントロールすることが考えられるが現状ではそのような技術は達成されていない。例えば、夏場は暑いため快適性等の点から特に芳香が望まれる季節でもあるが、このような夏場に選択的に芳香成分の放散量を増やすことができれば年単位での長期的な放散の持続性も高めることができる。
【０００９】
従来、パッシブな技術としては、芳香成分を多孔性材料に吸着させ、あるいはマイクロカプセルに包含させて放散量をコントロールし、徐放する技術が提案されている（特許文献１〜３参照）。
【先行技術文献】
【特許文献】
【００１０】
【特許文献１】特開平０５−００３９１０号公報
【特許文献２】特開２００２−３４５９４１号公報
【特許文献３】特開２００８−２２９２３５号公報
【発明の概要】
【発明が解決しようとする課題】
【００１１】
しかしながら、芳香成分が常時放散し続けることを抑制することはできなかった。そのため、特に建材において、パッシブでありながら放散量と放散タイミングをコントロールできる芳香剤が望まれている。
【００１２】
本発明は、以上のとおりの事情に鑑みてなされたものであり、季節や昼夜等の気温差に応じてパッシブな方法で芳香成分の放散量と放散タイミングをコントロールすることができ、芳香の持続性を向上させることができる芳香剤とそれを用いた建材を提供することを課題としている。
【課題を解決するための手段】
【００１３】
上記の課題を解決するために、本発明の芳香剤は、夏場の気温で溶融するパラフィン、夏場の気温で溶融しないパラフィン、および芳香成分を含有することを特徴としている。
【００１４】
この芳香剤においては、夏場の気温で溶融するパラフィンの相転移温度は、３０〜４０℃であることが好ましい。
【００１５】
この芳香剤においては、夏場の気温で溶融しないパラフィンの相転移温度は、４５〜１２０℃であることが好ましい。
【００１６】
この芳香剤においては、芳香成分は、抗菌性および抗カビ性の少なくともいずれかを有することが好ましい。
【００１７】
本発明の建材は、通気性の面材とその裏面側に配置された非通気性のカバー材とを備え、上記の芳香剤が面材の裏面に塗布または含浸されて面材とカバー材とに囲まれた空間の内部に収容されていることを特徴としている。
【００１８】
本発明の建材は、上記の芳香剤が含浸または表裏面の少なくとも一方に塗布された繊維質の面材を備えることを特徴としている。
【発明の効果】
【００１９】
本発明によれば、季節や昼夜等の気温差に応じてパッシブな方法で芳香成分の放散量と放散タイミングをコントロールすることができ、芳香の持続性を向上させることができる。
【発明を実施するための形態】
【００２０】
以下に、本発明について詳細に説明する。
【００２１】
本発明の芳香剤は、夏場の気温で溶融するパラフィン、夏場の気温で溶融しないパラフィン、および芳香成分を含有し、主に一年を通じて最も温度の高い夏場においてパッシブに芳香成分を放散することを特徴としている。このように夏場の気温で溶融するパラフィンと溶融しないパラフィンとを併用することにより、所定温度以上で一部のパラフィン、すなわち夏場の気温で溶融するパラフィンのみが相転移し、芳香成分を放散することができる。これにより、電気的または機械的な仕組みを用いずともパッシブな方法で放散量と放散タイミングをコントロールすることができ、芳香剤の持続性を向上させることができる。
【００２２】
本発明において用いられるパラフィンは、室温で固体の炭化水素であり、飽和の直鎖、分岐、または環式の炭化水素から構成される。例えば、鉱油由来のパラフィン、フィッシャー・トロプシュ合成由来のパラフィン、プラスチックの熱分解により得られる溶融物（再循環パラフィン）由来のパラフィン等を用いることができる。
【００２３】
蒸留残渣またはパラフィン・ベースの原油の重質蒸留物からの微結晶性パラフィン（マイクロワックス）もパラフィンに含まれる。
【００２４】
パラフィンのうち、ノルマルパラフィンの相転移温度（融点）を例示すると概ね次の程度である。ｎ−ヘプタデカン（炭素数１７）：２２℃、ｎ−オクタデカン（炭素数１８）：２８℃、ｎ−エイコサン（炭素数２０）：３７℃、ｎ−ドコサン（炭素数２２）：４４℃、ｎ−ペンタコサン（炭素数２５）：５４℃、ｎ−オクタコサン（炭素数２８）：６１℃、ｎ−トリアコンタン（炭素数３０）：６６℃、炭素数４０のノルマルパラフィン：８２℃、炭素数５０のノルマルパラフィン：９２℃、炭素数１００のノルマルパラフィン：１１５℃。
【００２５】
夏場の気温で溶融するパラフィンおよび夏場の気温で溶融しないパラフィンは、好ましくは１種のパラフィンを主成分とするが、分子量や化合物の種類に分布をもつ混合物であってもよい。
【００２６】
本発明においてパラフィンの相転移温度は、例えば、ＪＩＳ Ｋ００６４に規定される融点測定方法により測定することができる。
【００２７】
本発明において「夏場の気温で溶融する」、「夏場の気温で溶融しない」については次の事項が考慮される。パラフィンの相転移温度が２５〜４０℃（好ましくは３０〜４０℃）である場合に「夏場の気温で溶融する」とする。パラフィンの相転移温度が４５℃以上の場合（好ましくは４５〜１２０℃、より好ましくは４５〜９０℃）である場合に「夏場の気温で溶融しない」とする。
【００２８】
本発明の芳香剤は、特に、夏場の気温に室内温度が連動するような建物、施設等において好ましく用いることができる。このような建物、施設等においては、室内においても上記したような条件に準じてパラフィンの溶融、固化のサイクルが生じ、放散量のコントロール（徐放）をパッシブに達成することができる。また秋場に入ると芳香成分の放散が著しく抑制され、季節に応じて放散タイミングをコントロールできる。
【００２９】
また、例えば冷房のある建物、施設等であっても、室内温度が一定の高温を超えないと冷房を入れないクールビズを実施している建物、施設等や、一部の部屋では冷房が効かない等の場合には、パラフィンの溶融、固化のサイクルが上記と同様の傾向を示す状態で用いることができる。
【００３０】
本発明に用いられる夏場の気温で溶融するパラフィンは、相転移温度が好ましくは２５〜４０℃、より好ましくは３０〜４０℃である。相転移温度が低過ぎると夏場の気温以外でも溶融し易くなり芳香の持続性が低下する場合がある。相転移温度が高過ぎると夏場でも比較的低い温度のときには溶融しにくくなり芳香成分の放散性が低下する場合がある。
【００３１】
本発明に用いられる夏場の気温で溶融しないパラフィンは、相転移温度が好ましくは４５℃以上、より好ましくは４５〜１２０℃、より好ましくは４５〜９０℃である。相転移温度が低過ぎると夏場の気温で芳香の発生量が増え芳香の持続性が低下する場合がある。相転移温度が高過ぎると芳香の発生量が低下する場合がある。
【００３２】
本発明の芳香剤における夏場の気温で溶融するパラフィンと夏場の気温で溶融しないパラフィンとの配合比は、質量比で好ましくは１０：９０〜９０：１０、より好ましくは３０：７０〜７０：３０である。夏場の気温で溶融するパラフィンの配合比が多過ぎると芳香の持続性が低下する場合がある。夏場の気温で溶融しないパラフィンの配合比が多過ぎると芳香成分の放散性が低下する場合がある。
【００３３】
本発明に用いられる芳香成分は、揮散性を有し芳香性を有する物質であれば特に限定されないが、例えば、香粧品、医薬品、医薬部外品、食品等の分野において従来より用いられている香料等を用いることができる。例えば、天然香料、合成香料、調合香料等を用いることができる。
【００３４】
天然香料としては、特に限定されないが、例えば、レモン油、ライム油、スペアミント油、ジャスミン油、オレンジ油、パイン油、はっか油、ユーカリ油、ラベンダー油、ムスク等を用いることができる。これらは１種単独で用いてもよく、２種以上を併用してもよい。
【００３５】
合成香料としては、特に限定されないが、例えば、ヒノキチオール、リモネン、リナロール、オイゲノール、シトロネラール、バニリン、カルボン、ヨノン、ムスコン、ローズオキサイド、インドール、酢酸ゲラニル、安息香酸エチル等を用いることができる。これらは１種単独で用いてもよく、２種以上を併用してもよい。
【００３６】
また、芳香成分は、必要に応じて溶剤、水、界面活性剤等を配合して用いることができる。
【００３７】
芳香成分は、抗菌性および抗カビ性の少なくともいずれかを有することが好ましい。これにより、気温が高くなり菌やカビが発育し易い夏場の時期に、抗菌性や抗カビ性を有する芳香成分を無意識のうちに放散することができる。従って、電気的または機械的な仕組みを用いずとも抗菌・抗カビ作用を発現することができ、室内を清浄に保つことができる。
【００３８】
抗菌性を有する芳香成分としては、例えば、タイム油、シナモンバーク油、バジル油、ユーカリ油、クローブ油、レモングラス油、カッシャ油、スペアミント油、クミン油、タラゴン油等を用いることができる。
【００３９】
抗カビ性を有する芳香成分としては、例えば、シトラール、シトロネラール、トランス−２−ヘキセナール、オクチルアルデヒド、トランス−２−ウンデセナール、ウンデシレンアルデヒド、ジメチルテトラハイドロベンズアルデヒド、ベンズアルデヒド、サリチルアルデヒド、３−フェニルプロパナール、クミンアルデヒド、フルフラール、ゲラニオール、シトロネロール、９−デセノール、デカノール、オイゲノール等を用いることができる。
【００４０】
本発明の芳香剤における芳香成分の配合量は、好ましくは芳香剤の全量に対して０．１〜２０質量％、より好ましくは０．５〜５質量％である。芳香成分の配合量が少な過ぎると芳香性が低下する場合があり、芳香成分の配合量が多過ぎると成形性が低下する場合がある。
【００４１】
本発明の芳香剤には、本発明の効果を損なわない範囲内において、必要に応じて前記の成分以外の他の成分を配合することができる。このような他の成分としては、例えば、消泡剤等を用いることができる。
【００４２】
本発明の芳香剤は、例えば、以下の方法等により製造することができる。まず夏場の気温で溶融するパラフィン、夏場の気温で溶融しないパラフィン、およびその他の成分を加温下にて溶融混合する。さらに芳香成分を添加して撹拌しながら十分に混合し、その後放冷することにより芳香剤を製造することができる。
【００４３】
本発明の芳香剤は、室内の芳香等に用いることができる。特に、パッシブであることから建材に好適に用いることができる。建材の構成は、例えば、戸、襖、ドア枠、敷居等の建具や、壁、天井、床等の内装材等に適用することができる。
【００４４】
本発明の建材は、通気性の面材とその裏面側に配置された非通気性のカバー材とを備え、以上に説明した本発明の芳香剤が面材の裏面に塗布または含浸されて面材とカバー材とに囲まれた空間の内部に収容されている。
【００４５】
このような構成によれば、多くの芳香成分を建材に含有させることができるので、芳香成分の放散を長期間維持できる空間を提供することができる。
【００４６】
面材は、例えば芳香剤の芳香成分を透過できる通気性の材料によるボードを用いることができる。具体的には、例えば、ＭＤＦボード等の木質繊維ボード、石膏ボード等を用いることができる。
【００４７】
この面材の裏面に本発明の芳香剤を塗布または含浸し、その箇所を覆うように非通気性のカバー材を配置する等の方法により、通気層を介して芳香剤を内部に有する本発明の建材を製造することができる。
【００４８】
また本発明の建材は、以上に説明した本発明の芳香剤が含浸または表裏面の少なくとも一方に塗布された繊維質の面材を備えている。
【００４９】
このような構成によれば、繊維質の面材を通じて建材に多くの芳香成分を含有させることができるので、芳香成分の放散を長期間維持できる空間を提供することができる。
【００５０】
繊維質の面材としては、例えば、紙、不織布等を用いることができる。そして本発明の芳香剤を加熱溶融して繊維質の面材に含浸しまたは表裏面の少なくとも一方に塗布した後、冷却することで芳香剤が含浸または塗布された繊維質の面材を製造することができる。
【００５１】
この繊維質の面材を、例えば建具や内装材等の表面または裏面等に配置して建材とすることができる。
【実施例】
【００５２】
以下に、実施例により本発明をさらに詳しく説明するが、本発明はこれらの実施例に何ら限定されるものではない。
１．芳香剤
＜実施例１＞
パラフィンとして、夏場の気温で溶融するパラフィン（ｎ-ノナデカン  相転移温度３３℃、和光純薬社製）、夏場の気温で溶融しないパラフィン（パラフィン  相転移温度５０〜５２℃、和光純薬社製）の２種類のパラフィンを用いた。
【００５３】
これら２種類のパラフィンを質量比で５０：５０になるように混合し、消泡剤としてステアリン酸を２種類のパラフィンの合計量に対して５質量％添加し、６０℃の温水で湯煎し溶融混合させた。さらに芳香成分としてヒノキチオールをこの混合物に対して１質量％添加し混合した後、φ７０のガラスシャーレにその２０ｇを注ぎ、その後冷却して芳香剤を作製した。
【００５４】
＜実施例２＞
２種類のパラフィンを質量比で３０：７０になるように混合し、それ以外は実施例１と同様にして芳香剤を作製した。
【００５５】
＜実施例３＞
２種類のパラフィンを質量比で７０：３０になるように混合し、それ以外は実施例１と同様にして芳香剤を作製した。
【００５６】
＜比較例１＞
パラフィンとして１種類（相転移温度３３℃）のみを用い、それ以外は実施例１と同様にして芳香剤を作製した。
【００５７】
＜比較例２＞
パラフィンとして１種類（相転移温度５０〜５２℃）のみを用い、それ以外は実施例１と同様にして芳香剤を作製した。
【００５８】
＜比較例３＞
パラフィンを用いずに実施例１と等量の芳香成分のみをシャーレに入れて芳香剤とした。
【００５９】
実施例１〜３および比較例１〜３について次の評価を行った。
[官能評価・外観評価]
恒温恒湿槽内で、それぞれの芳香剤を３５℃×５０％ＲＨの雰囲気で加温し、２４時間後に恒温恒湿槽から取り出し、ニオイを感じるか次の基準に基づいて官能評価を行った。
【００６０】
その後、２０℃×５０％の雰囲気で２４時間保持した後、恒温恒湿槽から取り出し、同様の官能評価を行った。
【００６１】
その後、再度３５℃×５０％の雰囲気で加温して２４時間保持した後、恒温恒湿槽から取り出し、同様の官能評価を行った。また外観状態も確認し溶融状態の外観評価を行った。
【００６２】
[官能評価]
◎：芳香剤のニオイを強く感じる
○：芳香剤のニオイを感じる
△：芳香剤のニオイを弱く感じる
×：芳香剤のニオイをほぼ感じない
【００６３】
評価結果を表１に示す。
【００６４】
【表１】
0005486483.tif 000002
【００６５】
表１より、夏場の気温で溶融するパラフィンを用いた芳香剤は所定の温度で放散することが確認できた。さらに夏場の気温で溶融するパラフィンと夏場の気温で溶融しないパラフィンの２種類を併用することで、芳香の持続性が向上することも確認できた。
【００６６】
２．芳香剤を用いた建材
＜実施例４＞
珪藻土入り表裏面普通紙貼り石膏ボード（パナソニック電工株式会社製「しつど番」、厚み９．５ｍｍ）の裏面に、６０℃で湯煎した実施例１の芳香剤を刷毛塗りで２００ｇ／ｍ2となるように塗布し１週間室温で乾燥させた。
【００６７】
これを１０ｃｍ角にカットし、裏面と側面をカバー材のアルミテープで覆い建材サンプルを得た。
【００６８】
＜実施例５＞
芳香剤として実施例２のものを用い、それ以外は実施例４と同様にして建材サンプルを作製した。
【００６９】
＜実施例６＞
芳香剤として実施例３のものを用い、それ以外は実施例４と同様にして建材サンプルを作製した。
【００７０】
＜比較例４＞
芳香剤として比較例１のものを用い、それ以外は実施例４と同様にして建材サンプルを作製した。
【００７１】
＜比較例５＞
芳香剤として比較例２のものを用い、それ以外は実施例４と同様にして建材サンプルを作製した。
【００７２】
＜比較例６＞
芳香剤として比較例３のものを用い、それ以外は実施例４と同様にして建材サンプルを作製した。
【００７３】
＜実施例７＞
市販のＭＤＦボード（厚み２．５ｍｍ）の裏面に、６０℃で湯煎した実施例１の芳香剤を刷毛塗りで２００ｇ／ｍ2となるように塗布し１週間室温で乾燥させた。
これを１０ｃｍ角にカットし、裏面と側面をアルミテープで覆い建材サンプルを得た。
【００７４】
＜実施例８＞
芳香剤として実施例２のものを用い、それ以外は実施例７と同様にして建材サンプルを作製した。
【００７５】
＜実施例９＞
芳香剤として実施例３のものを用い、それ以外は実施例７と同様にして建材サンプルを作製した。
【００７６】
＜比較例７＞
芳香剤として比較例１のものを用い、それ以外は実施例７と同様にして建材サンプルを作製した。
【００７７】
＜比較例８＞
芳香剤として比較例２のものを用い、それ以外は実施例７と同様にして建材サンプルを作製した。
【００７８】
＜比較例９＞
芳香剤として比較例３のものを用い、それ以外は実施例７と同様にして建材サンプルを作製した。
【００７９】
実施例４〜９および比較例４〜９について前記の官能評価を行った。
[官能評価]
◎：芳香剤のニオイを感じる
○：芳香剤のニオイを弱く感じる
△：芳香剤のニオイを微かに感じる
×：芳香剤のニオイをほとんど感じない
その結果を表２に示す。
【００８０】
【表２】
0005486483.tif 000003
【００８１】
表２より、芳香剤を建材に用いた場合にも、夏場の気温で溶融するパラフィンを用いた芳香剤は所定の温度で放散しボード表面より芳香を放つことが確認できた。さらに夏場の気温で溶融するパラフィンと夏場の気温で溶融しないパラフィンの２種類を併用することで、芳香の持続性が向上することも確認できた。